(57)【要約】【課題】  照明品質の良好な導光体を用いた照明装置を提供する。【解決手段】  第１の光源５によって照明される第１の照明対象である指針２と、第２の光源６によって照明される第２の照明対象である文字板３の指標部１３と、第１の光源５からの光を指針２に導く第１の導光体１６と、第２の光源６からの光を指標部１３に導く第２の導光体１９と、第１の導光体１６と第２の導光体１９とを接続する連結部３２，３３とを設けた照明装置において、連結部３２に凹部３５，３６，３７を設けたものである。【選択図】  図５
2005077185.tif 000002
【特許請求の範囲】
【請求項１】
第１の光源によって照明される第１の照明対象と、第２の光源によって照明される第２の照明対象と、前記第１の光源からの光を前記第１の照明対象に導く第１の導光体と、前記第２の光源からの光を前記第２の照明対象に導く第２の導光体と、前記第１の導光体と前記第２の導光体とを接続する連結部とを設けた照明装置において、前記連結部に凹部を設けたことを特徴とする照明装置。
【請求項２】
第１の光源によって照明される指針と、第２の光源によって照明されるとともに前記指針の背後に位置する表示部材に設けられた透過照明部と、前記指針の背後に位置し前記第１の光源からの光を前記指針に導く第１の導光体と、前記表示部材の背後に位置するとともに前記第２の光源からの光を前記表示部材背後に導く第２の導光体と、前記第１の導光体と前記第２の導光体とを区切る仕切部材と、前記第１の導光体と前記第２の導光体とを接続する連結部と、前記仕切部材の前記表示部材側に前記連結部を位置させる連通部とを設けた照明装置において、前記連結部を少なくとも一つ以上設け、前記連結部の少なくとも一つに凹部を設けたことを特徴とする照明装置。
【請求項３】
前記表示部材の前記仕切部材側で、前記仕切部材に対応する部分に、暗色層を設けたことを特徴とする請求項２記載の照明装置。
【請求項４】
前記連結部に傾斜部を設けたことを特徴とする請求項１から３のいずれかに記載の照明装置。
【請求項５】
前記凹部を設けた前記連結部の対向面に凸部を設け、前記連結部を方形波形状に形成したことを特徴とする請求項１から３のいずれかに記載の照明装置。
【請求項６】
前記凹部内に前記凹部の側壁間を結ぶ壁部を設けたことを特徴とする請求項１から３のいずれかに記載の照明装置。
【発明の詳細な説明】
【技術分野】
【０００１】
本発明は、導光体を用いた照明装置に関する。
【背景技術】
【０００２】
従来の照明装置は、例えば図９に示すものがある。この照明装置は、回転軸１を中心に回転する指針２と、この指針２の背後（図中下側）に位置する表示部材である文字板３と、この文字板３の背後（図中下側）に位置するガラスエポキシ樹脂からなる硬質の回路基板４と、この回路基板４上に設けられ、それぞれ指針２と文字板３を照明する光源である発光ダイオード５，６と、発光ダイオード５，６のそれぞれの照明領域を区画する円筒形の仕切壁７と、回路基板４の背後に固定され回転軸１を回動する計器本体８と、発光ダイオード５から発する光を指針２に導く第１の導光体９と、発光ダイオード６から発する光を文字板３に導く第２の導光体１０とを備えている。
【０００３】
指針２は指示部２ａと回転軸１に固定される指針基部２ｂを透明な合成樹脂で一体に形成されており、指針基部２ｂは遮光性の合成樹脂からなる指針キャップ１１で覆われている。指示部２ａは発光ダイオード５の光を第１の導光体９を介して受けて発光するものである。
【０００４】
文字板３は透明な合成樹脂からなる平板状の基材１２の表面（図中上側の面）に、目盛りや文字などの指標部１３を除いて遮光性の黒色の塗料からなり文字板３の地を形成する遮光層１４を設け、その裏面（図中下側の面）に、目盛りや文字などの指標部１３を除いて遮光性の白色の塗料からなる遮光反射層１５を設けたものである。よって指標部１３のみが発光ダイオード６の光を第２の導光体１０を介して受けて透過照明される構造である。
【０００５】
発光ダイオード５，６は表面実装型の発光ダイオードであり、発光ダイオード５は回転軸１の近傍に回転軸１を中心とした円上に複数設けられている。また、発光ダイオード６は指標部１３の近傍に対応する部分に回転軸１を中心とした円上に複数設けられている。仕切壁７は合成樹脂からなり、発光ダイオード５，６のそれぞれの光が混じり合わないように、照明領域を区画するものである。
【０００６】
本従来例では、指針２と指標部１３とを、発光ダイオード５，６からの光をそれぞれ別々に形成した第１，第２の導光体９，１０を介して照明する構造である。
【０００７】
しかし、この照明装置では、異なる照明対象である指針２と指標部１３とを照明するために、それぞれ別々の第１，第２の導光体９，１０を必要としたため、部品点数が多く、また、それぞれの導光体９，１０を照明装置（本従来例では、計器装置）に取付固定する必要があり、取付作業も繁雑にならざるを得ず、総じてコストの上昇を招くものであった。そこで、コストを削減するために、第１の導光体９と第２の導光体１０とを連結部で接続したものが提案されている（例えば、特許文献１参照）。
【特許文献１】特開２００２−２９６０８０号公報（図１、図３）
【発明の開示】
【発明が解決しようとする課題】
【０００８】
しかし、この照明装置では、第１の導光体９と第２の導光体１０とを連結部にて接続したものであるため、第１の導光体９を透過する第１の光源５の光が前記連結部を通って第２の導光体１０内に進入したり、あるいは反対に、第２の導光体１０を透過する第２の光源６の光が前記連結部を通って第１の導光体９内に進入して照明の品質が低下するという不具合があった。そこで、本発明は、照明品質の良好な導光体を用いた照明装置を提供することを目的としている。
【課題を解決するための手段】
【０００９】
本発明は、第１の光源によって照明される第１の照明対象と、第２の光源によって照明される第２の照明対象と、前記第１の光源からの光を前記第１の照明対象に導く第１の導光体と、前記第２の光源からの光を前記第２の照明対象に導く第２の導光体と、前記第１の導光体と前記第２の導光体とを接続する連結部とを設けた照明装置において、前記連結部に凹部を設けたものである。
【００１０】
また、第１の光源によって照明される指針と、第２の光源によって照明されるとともに前記指針の背後に位置する表示部材に設けられた透過照明部と、前記指針の背後に位置し前記第１の光源からの光を前記指針に導く第１の導光体と、前記表示部材の背後に位置するとともに前記第２の光源からの光を前記表示部材背後に導く第２の導光体と、前記第１の導光体と前記第２の導光体とを区切る仕切部材と、前記第１の導光体と前記第２の導光体とを接続する連結部と、前記仕切部材の前記表示部材側に前記連結部を位置させる連通部とを設けた照明装置において、前記連結部を少なくとも一つ以上設け、前記連結部の少なくとも一つに凹部を設けたものである。
【００１１】
また、前記表示部材の前記仕切部材側で、前記仕切部材に対応する部分に、暗色層を設けたものである。
【００１２】
また、前記連結部の一部に傾斜部を設けたものである。
【００１３】
また、前記凹部を設けた前記連結部の対向面に凸部を設け、前記連結部を方形波形状に形成したものである。
【００１４】
また、前記凹部内に前記凹部の側壁間を結ぶ壁部を設けたものである。
【発明の効果】
【００１５】
本発明の照明装置は、初期の目的を達成することができ、照明品質の良好な導光体を用いた照明装置を提供することができる。
【発明を実施するための最良の形態】
【００１６】
本発明は、第１の光源５によって照明される第１の照明対象である指針２と、第２の光源６によって照明される第２の照明対象である文字板３の指標部１３と、第１の光源５からの光を指針２に導く第１の導光体１６と、第２の光源６からの光を指標部１３に導く第２の導光体１９と、第１の導光体１６と第２の導光体１９とを接続する連結部３２，３３とを設けた照明装置において、連結部３２に凹部３５，３６，３７を設けたものである。このように構成したことにより、照明品質の良好な導光体を用いた照明装置を提供することができる。
【００１７】
また、第１の光源５によって照明される指針２と、第２の光源５によって照明されるとともに指針２の背後に位置する表示部材である文字板３に設けられた透過照明部である指標部１３と、指針２の背後に位置し第１の光源５からの光を指針２に導く第１の導光体１６と、文字板３の背後に位置するとともに第２の光源６からの光を文字板３背後に導く第２の導光体１９と、第１の導光体１６と第２の導光体１９とを区切る仕切部材である仕切壁７と、第１の導光体１６と第２の導光体１９とを接続する連結部３２，３３と、仕切壁７の文字板３側に連結部３２，３３を位置させる連通部７ａ，７ｂとを設けた照明装置において、連結部３２，３３を少なくとも一つ以上設け、連結部３２，３３の少なくとも一つに凹部３５，３６，３７を設けたものである。このように構成したことにより、照明品質の良好な導光体を用いた照明装置を提供することができる。
【００１８】
また、文字板３の仕切壁７側で、仕切壁７に対応する部分に、暗色層１４ａを設けた
ものである。このように構成したことにより、照明品質の良好な導光体を用いた照明装置を提供することができる。
【００１９】
また、連結部３２の一部に傾斜部４１を設けたものである。このように構成したことにより、照明品質の良好な導光体を用いた照明装置を提供することができる。
【００２０】
また、凹部３５，３６，３７を設けた連結部３２の対向面に凸部４０を設け、連結部３２を方形波形状に形成したものである。このように構成したことにより、照明品質の良好な導光体を用いた照明装置を提供することができる。
【００２１】
また、凹部３５，３６，３７内に凹部３５，３６，３７の側壁３８間を結ぶ壁部３９を設けたものである。このように構成したことにより、照明品質の良好な導光体を用いた照明装置を提供することができる。
【実施例１】
【００２２】
以下、添付図面に基づいて、本発明の照明装置を車両用の計器に採用した場合を例に挙げて説明する。なお、前記従来例と同一及び相当箇所には同一符号を付してその詳細な説明は省略する。
【００２３】
本発明の照明装置を採用した計器は、回転軸１を中心に回転する第１の照明対象である指針２と、この指針２の背後（図３中下側）に位置し透過照明される表示部材である文字板３と、この文字板３の背後（図３中下側）に位置するガラスエポキシ樹脂からなる硬質の回路基板４と、この回路基板４上に設けられ、それぞれ指針２と文字板３を照明する第１，第２の光源である発光ダイオード５，６と、発光ダイオード５，６のそれぞれの照明領域を区画する仕切部材である円筒形の仕切壁７と、回路基板４の背後に固定される回転軸１を回動する計器本体８と、発光ダイオード５の光を指針２に導く第１の導光体１６と、発光ダイオード６の光を文字板３に導く第２の導光体１９と、第１，第２の導光体１６，１９を支持するケース２０とを備えている。
【００２４】
表示部材である文字板３は、前面側（図３中上側）に、文字や目盛などの第２の照明対象であり透過照明部である指標部１３を除いて遮光性のインクにより、暗色（本実施例の場合、黒色）の遮光層１４が形成されており、また、文字板３背後（図３中下側）には、白色のインクにより、遮光反射層１５が形成されている。ただし、遮光反射層１５は、文字や目盛などの指標部１３に対応する部分には、設けられていない。なお、遮光反射層１５は本実施例においては白色であるが、白色限定されるものではなく、光を反射するのに都合のよいものであれば、どのようなものでもよく、例えば、銀色などのメタリック調でもよい。また、文字板３背後（図３中下側）で、後述する仕切壁７に対応する部分には、すなわち、回転軸１が通る文字板３の孔３ａ周囲部分には、つや消しの暗色層１４ａが、遮光性のインクにより形成されている。なお、本実施例では、暗色層１４ａの色は黒色である。
【００２５】
本実施例では、暗色層１４ａを黒色としたが、本実施例に限定されるものではなく、明度の低い色であればどのような色であっても良い。また、本実施例では、暗色層１４ａはつや消しであったが、つや消しに限定されるものではなく、つや有りであっても本実施例と同様の効果を得ることができる。
【００２６】
第１，第２の光源である発光ダイオード５，６の照明色は異なり、発光ダイオード５は赤色の発光色であり、発光ダイオード６は白色の発光色である。
【００２７】
計器本体８は回路基板４の背面（図３中下側）に固定され、指針２を指針軸１を介して駆動するものであり、本実施例では、従来よく知られている、交差コイル式計器本体である。なお、交差コイル式計器本体の代わりにステッピングモータなどを用いてもよい。
【００２８】
第１の導光体１６は指針１と回路基板４との間に位置し、ポリカーボネートやアクリルなどの透光性の合成樹脂からなり、本実施例では特に色の付いていない無色である。第１の導光体１６はほぼ円筒形状である。なお、第１の導光体１６の中央の貫通した孔１６ａに回転軸１が位置する。
【００２９】
第１の導光体１６は発光ダイオード５からの光を受ける受光部１７と、この受光部１７で受光した光を指針２へと射出する射出部１８とを備えている。受光部１７は発光ダイオード５からの光を効率よく受光できるように、その断面形状が半円の凸形状であり、本実施例では、受光部１７の凸形状は発光ダイオード５に対応した部分にのみ発光ダイオード５方向に突出形成されている。
【００３０】
第２の導光体１９は文字板３と回路基板４との間に位置し、第１の導光体１６と同様にポリカーボネートやアクリルなどの透光性の合成樹脂からなり、無色である。第２の導光体１９は、その主要部がドーナツ形状であり、指標部１３は文字板３上に全周に設けられているわけではないので、指標部１３を透過照明するために設ける第２の導光体１９も切れ目のないドーナツ形状ではなく、一部がＣの字形状で、このＣの字形状の口のあいた部分を連結部３２で接続した形状である。なお、第２の導光体１９の中央に仕切壁７や第１の導光体１６及び回転軸１が位置する。
【００３１】
第２の導光体１９は発光ダイオード６の光を指標部１３に導くものであり、受光部２１で受光し第２の導光体１９内を通過する光を反射面２５で指標部１３に対応する文字板３裏面側に光を反射し、指標部１３を透過照明するものである。反射面２５には指標部１３に良好に反射拡散させるために、白色の遮光反射層１５が設けられている。この導光体１９を用いることにより、指標部１３まで光量の損失を抑えて導き透過照明することができる。
【００３２】
受光部２１の形状は平面である。反射面２５は受光部２１で受光した光をロスを抑えて反射するために、複数平面で形成されており、本実施例では、その断面が３つの角度の異なる反射面２５を備えている。なお、反射面２５の反射面の個数は任意であり、適宜設定可能である。また、場合によっては、断面形状が曲面であってもよい。２７は後述するケースに第２の導光体１９内の光を照射する照射部であり、本実施例ではその断面形状が垂直面である。また、第２の導光体１９は、仕切壁７に対向する部分に、図３中上方向に伸びる腕片２３を備えており、仕切壁７にはこの腕片２３に対応する係止部２４を備えており、腕片２３を係止部２４に引っかけて係止することにより、第２の導光体１９は仕切壁７に固定される。
【００３３】
第１の導光体１６と第２の導光体１９とは、本実施例では、二つの連結部３２，３３で接続されて一体形成されている。連結部３２は、第１の導光体１６の外周面と第２の導光体１９のＣの字形状の口のあいた部分を接続する逆さＴの字形状をしている。また、連結部３３は、第１の導光体１６の外周面と第２の導光体１９の内側とを接続している。
【００３４】
連結部３２は、逆さＴの字形状の縦棒部分が第１の導光体１６に接続しており、逆さＴの字形状の横棒部分の両端がそれぞれ第２の導光体１９に接続している。なお、連結部３２と第１の導光体１６との接続部分は、連結部３２が第１の導光体１６から回路基板４の板面方向に突出している。また、連結部３２と第２の導光体１９との接続部分は、図８で示すように、連結部３２の両端が下方にさがった板状の壁３４によって第２の導光体１９と接続している。
【００３５】
本実施例では、連結部３２は３つの凹部３５，３６，３７を備えている。この３つ凹部３５，３６，３７の内、凹部３５は第１の導光体１６に達するものであり、残りの凹部３６，３７は第２の導光体１９のＣの字形状の口の開いた部分を接続する部分にのみ設けられている。
【００３６】
凹部３５は連結部３２の逆さＴの字形状の縦棒部分の長手方向（図５中上下方向）に沿って設けられている。凹部３５を設けたことによって連結部３２には側壁３８が形成され、凹部３５を設けた連結部３２は、図６で示すように、ほぼＵの字形状をしている。このように構成したことにより、連結部３２の剛性を損なうことなく連結部３２の断面積を減少させることができる。また、凹部３５の一部と、凹部３６，３７は連結部３２の逆さＴの字形状の横棒部分の長手方向（図５中左右方向）に対して垂直方向に交わるように設けられている。凹部３５，３６，３７は連結部３２の断面積を減少させるもので、第１、第２の導光体１６，１９から連結部３２を通る発光ダイオード５，６の光量を抑制するものであり、発光ダイオード５，６からの光が連結部３２に入り込んで、それぞれの第１，第２の導光体１６，１９にて発光ダイオード５，６が混合することを防止し、照明品質の低下を抑制している。
【００３７】
また、連結部３２の逆さＴの字形状の横棒部分の凹部３５，３６，３７を設けた面の反対側である対向面に凸部４０が設けられている。この凸部４０を設けたことにより、連結部３２を上下方向に振れる方形波形状に形成されている。連結部３２内を通過する光を抑え、このように構成したことにより、発光ダイオード５，６からの光が連結部３２に入り込んで、それぞれの第１，第２の導光体１６，１９にて発光ダイオード５，６が混合することを防止し、照明品質の低下を抑制している。
【００３８】
また、この凹部３５，３６，３７には、その側壁３８間を結ぶ壁部３９が設けられている。この壁部３９を設けたことにより、連結部３２の逆さＴの字形状の横棒部分の剛性を維持することができる。なお、本実施例では、各凹部３５，３６，３７に設けられた壁部３９は、直線上に並んだように配置されている。このように構成することにより、各壁部３９を直線上に配置しない場合より、良好な剛性を得ることができる。
【００３９】
また、連結部３２には傾斜部４１が設けてある。本実施例は、傾斜部４１は、連結部３２の逆さＴの字形状の横棒部分の周囲に設けられている。また、本実施例では、凹部３５，３６，３７の側壁３８も傾斜しており、傾斜部４１として機能している。このように連結部３２に傾斜部４１を設けたことにより、連結部３２内を通る光が傾斜部４１で下方に光が反射され、光が上側に抜けることを抑制することができるとともに、傾斜部４１を設けたことによって、連結部３２の断面積を減らすことができ、発光ダイオード５，６からの光が連結部３２に入り込んで、それぞれの第１，第２の導光体１６，１９にて発光ダイオード５，６が混合することを防止し、照明品質の低下を抑制している。
【００４０】
連結部３３は、図２で示すように、回転軸１の軸方向から見ると、第１の導光体１６の外周面から図２中の上方向に伸びて第２の導光体１９と接続している。また、図４で示すように、連結部３３を側面から見ると、第１の導光体１６の中間部分から横方向へ回路基板４の板面方向にのびて、そして、文字板３方向に折れ曲がっている。この連結部３３が折れ曲がっている位置は、第１の導光体１６の中央より下側で、連結部３３が第１の導光体１６につながっている位置から折れ曲がった位置を通った延長方向には、仕切壁７が存在しており、発光ダイオード５からの光が連結部３３から抜けた光が直接、第２の導光体１９に達しないようになっている。
【００４１】
また、連結部３３は、その後、再び、回路基板４の板面方向に折れ曲がって回路基板２方向に折れ曲がるとともに、さらに回路基板２の板面方向に伸びて第２の導光体１９に接続している。この折れ曲がる位置は、第２の導光体１９と連結部３３がつながっている位置から折れ曲がった位置を通って延長した場合に、延長部分が仕切壁７に交わる位置である。このように構成したことにより、発光ダイオード６からの光が第２の導光体１９から連結部３３を通り、折れ曲がった位置で光が抜けても、光が直接第１の導光体１６に達しないようになっている。
【００４２】
以上のように、連結部３３は逆Ｕの字形状をしている。このように形成したことにより、異なる照明色である第１，第２の光源である発光ダイオード５，６からの光が連結部３３に入り込んで、それぞれの第１，第２の導光体１６，１９にて発光ダイオード５，６が混合することを防止し、照明品質の低下を抑制している。
【００４３】
また、連結部３３を複数回折り曲げたことで、連結部３３を長く形成することができ、この長い連結部３３で光が減衰し、発光ダイオード５，６が混合することを防止して照明品質の低下を抑えることができる。また、連結部３３の表面を荒らすことで、連結部３３から漏れる光を拡散させるようにしてもよい。
【００４４】
ケース２０は文字板３の背面（図３中下側）に位置し、白色の合成樹脂で仕切壁７と一体に形成されている。ケース２０は、第２の導光体１９を収納する収納凹部２８を備えており、この収納凹部２８も第２の導光体１９と同様に、Ｃの字形状である。収納凹部２８によって文字板３とケース２０との間に空間が形成される。また収納凹部２８の周辺は、図３中上方向に湾曲しており、その内面に第２の導光体１９からの光を指標部１３側に反射拡散する反射部３０を備えている。反射部３０の断面形状を曲面とすることにより、反射した光が指標部１３方向にロスを抑えて反射拡散させることができる。なお、３１は収納凹部２８を区画するためと収納凹部２８と仕切壁７とをつなぐ壁である。なお、壁３１には、連結部３２が位置する連通部３１ａが形成されており、また、仕切壁７には、連結部３２，３３が位置する連通部７ａ、７ｂが形成されている。また、この連通部７ａ，７ｂと接する文字板３には、前述した暗色層１４ａが設けられており、文字板３と仕切壁７との間からの光漏れを防止するとともに、暗色層１４ａは遮光性を備えているので、連結部３２，３３から漏れた光が、文字板３の基材１２内に進入し、異なる照明色である発光ダイオード５，６が混合することを防止し、指標部１３の照明品質に影響を及ぼすことも防止できる。特に、連結部３３に近い指標部１３に、漏れた光が届かないので、照明品質の低下を抑えることができる。
【００４５】
次に本実施例の照明方法について説明する。発光ダイオード５から発する光は、第１の導光体１６の受光部１７から第１の導光体１６内に入り、射出部１８によって指針２に光を射出される。光を受けた指針２は、指針２内に入射した光によって、指示部２ａが照明されるものである。また、発光ダイオード６から発する光は、第２の導光体１９の受光部２１から図３中上方向に向かい導光体１９内に入り、反射面２５で図３中左右方向へ反射され、照射部２７によって反射部３０に光を射出される。射出された光は、反射部３０によって反射拡散されて、指標部１３を透過照明するものである。
【００４６】
以上のように、連結部３２に凹部３５，３６，３７を設けたことにより、照明品質の良好な導光体１６，１９を用いた照明装置を提供することができる。
【００４７】
なお、本実施例では、凹部は連結部３２にのみ設けていたが、連結部３３に設けてもよい。
【００４８】
また、指針２と指標部１３とを異なる照明色で照明する場合、連結部３２，３３は、照明色が混じり合う部分が、文字板３の地色部分１４で覆われているために、照明色が混じり合うことがなく、良好に照明することができる。
【００４９】
また、前記実施例では、発光ダイオード５，６の照明色が異なっていたが、発光ダイオードが時差点灯するものにおいても、本発明は良好な照明品質を得ることができる。すなわち、発光ダイオード５が最初に点灯し、ついで、発光ダイオード６が点灯する場合に、発光ダイオード５のみが点灯している状態で、指標部１３に発光ダイオード５の光が漏れて、照明されることを防止することができる。また、逆に、発光ダイオード６が点灯し、ついで、発光ダイオード５が点灯する場合でも良い。
【００５０】
また、本実施例では、発光ダイオード５，６を回転軸１の近傍に近接して設けたことにより、回路基板４の前記導電パターンの設計を容易に行うことができる。
【００５１】
なお、本実施例では、第１の照明対象が指針２で、第２の照明対象が文字板３の指標部１３であったが、前記実施例に限定されるものではなく、異なる計器の文字板、例えば、速度計とエンジン回転計の文字板の指標部を、それぞれ第１，第２の照明対象としてもよい。
【００５２】
なお、前記実施例においては、第１，第２の光源に発光ダイオードを用いていたが、前記実施例に限定されるものではなく、白熱ランプなどを用いても良い。
【図面の簡単な説明】
【００５３】
【図１】本発明の一実施例における照明装置の正面図。
【図２】同実施例の指針と文字板を取り除いた照明装置の正面図。
【図３】図１中Ａ−Ａ線の断面図。
【図４】図２中Ｂ−Ｂ線の部分断面斜視図。
【図５】同実施例の導光体の正面図。
【図６】図３中Ｃ−Ｃ線の断面図。
【図７】図３中Ｄ−Ｄ線の断面図。
【図８】図３中Ｅ−Ｅ線の断面図。
【図９】従来例の断面図。
【符号の説明】
【００５４】
１    回転軸
２    指針（第１の照明対象）
３    文字板（表示部材）
５    発光ダイオード（第１の光源）
６    発光ダイオード（第２の光源）
７    仕切壁（仕切部材）
７ａ，７ｂ  連通部
１３    指標部（透過照明部）（第２の照明対象）
１４ａ  暗色層
１６    第１の導光体
１９    第２の導光体
２０    ケース
３２，３３  連結部
３４    壁
３５，３６，３７  凹部
３８    側壁
３９    壁部
４０    凸部
４１    傾斜部
【図１】
2005077185.tif 000003
【図２】
2005077185.tif 000004
【図３】
2005077185.tif 000005
【図４】
2005077185.tif 000006
【図５】
2005077185.tif 000007
【図６】
2005077185.tif 000008
【図７】
2005077185.tif 000009
【図８】
2005077185.tif 000010
【図９】
2005077185.tif 000011